(57)【特許請求の範囲】
【請求項１】
第１の円筒部を有しこの第１の円筒部の外周に第１の係合突起を有する第１の部品と、前記第１の円筒部の外径よりも大きい内径の第２の円筒部を有し前記第１の円筒部と前記第２の円筒部を相嵌合し回転することにより前記第１の係合突起が抜止め係止する第２の係合突起を内周に有する第２の部品と、前記第１の係合突起と前記第２の係合突起とを係止する方向に付勢するばねとを備え、
前記第１の係合突起はガイド斜面を斜面とした略三角形状部を有し、前記第２の係合突起は前記ガイド斜面に摺接するガイド斜面を斜面とした略三角形状部とこれに連続して前記第１の係合突起の前記略三角形状部が嵌合可能な略Ｖ字形の溝部を有し、
前記第１の円筒部と前記第２の円筒部とを相対的に回転する際に、前記ばねのばね力に抗して前記第１の係合突起の前記ガイド斜面と前記第２の係合突起の前記ガイド斜面とが摺動して前記第１の係合突起が前記第２の係合突起の溝部に嵌合するようにした部品の係止構造。
【請求項２】
前記第１の係合突起および前記第２の係合突起はそれぞれ一対有し、前記一対の第２の係合突起を回転角１８０度離し、前記一対の第１の係合突起を回転角１８０度より若干小さい角度離した請求項１記載の部品の係止構造。
【請求項３】
前記第１の係合突起および前記第２の係合突起は係止状態で前記第１の円筒部と前記第２の円筒部の軸方向に相接触する平面部を有する請求項１または請求項２記載の部品の係止構造。
【発明の詳細な説明】
【０００１】
【発明の属する技術分野】
この発明は、引掛シーリングを利用して取付ける照明器具等に適用される部品の係止構造に関するものである。
【０００２】
【従来の技術】
第１の従来例を図１６および図１７に示す。すなわち、引掛シーリングボディ１０１に引っ掛けるアダプタ１０２の外周に逆Ｌ字形の係止溝１１１を形成し、先端に雌型のコネクタ１１２を設ける。アダプタ１０２の引掛爪１０８を引掛シーリングボディ１０１に引掛けた後、ホルダ１１３をアダプタ１０２に嵌合し、係止爪１１４が係止溝１１１に係合するようにホルダ１１３を差込み回転する。ホルダ１１３は、器具支持部を上端に有する筒形の内カバー１２０と、内カバー１２０にスライド自在に外嵌し係止溝１１１に係止する係止爪１１４を有する外カバー１２３と、内カバー１２０と外カバー１２３間に介在されたコイルばねを用いたばね１２４とを備えている。
【０００３】
そして、ホルダ１１３をアダプタ１０２に装着する際、器具本体１２７をセットし、ホルダ１１３をアダプタ１０２に押し上げて回すことにより器具本体１２７を天井１００とホルダ１１３との間に保持する。また器具本体１２７の点灯回路（図示せず）に接続されたコード１２８の雄型のコネクタ１２６をコネクタ１１２に接続する。１３３は天井１００との密着性を増すためのウレタン等の緩衝材である。
【０００４】
第２の従来例を図１８に示す。すなわち、このランプ口金１４０をソケット受け金１４１に装着する係止構造は、ランプ口金１４０に係止爪１４２を設け、ソケット受け金１４１にＬ形の係止溝１４３を形成し、矢印のように係止爪１４２を係止溝１４３に差込み回転して係止するものである。
【０００５】
【発明が解決しようとする課題】
第１の従来例および第２の従来例は、いずれも係止爪１１４，１４２を図１９に示すように係止溝１１１，１４３の上下方向に導く溝１４５と、引続き水平方向に導く溝１４６と、ばねの圧力などにより係止爪１１４等を押し付けて固定保持する溝１４７からなる。
【０００６】
しかし、このような係止構造では、係止爪１１４等を係止溝１１１等の溝１４５に一杯まで押し込んでから、なおかつその押し込み量を維持したままで溝１４６を回動により通過させ、最終的に溝１４７まで導いてやらねばならない。
このため照明器具を装着する動作の間、連続して大きな力を加え続ける必要があり、図１６に示すような照明器具を取付けるには、器具が重いことや、天井１００に取付けるための脚立などに登って高所作業を行なうので足場が不安定なこともあり取付けにくいという欠点あった。
【０００７】
さらに、装着動作の途中で、作業を中断しても係止爪１１４等が溝１４６にあれば、少なくもとも上下方向の動きは規制されるので、あたかも係合が完了したかのうよな錯覚を起こすおそれがある。このような中途半端な状態で保持されると使用中に溝１４５に向かう方向の外力が加わったりすると、係合が外れ、部品が落下し事故につながるおそれもある。
【０００８】
したがって、この発明の目的は、操作性がよく部品同志が仮掛りしない部品の係止構造を提供することである。
【０００９】
【課題を解決するための手段】
請求項１記載の部品の係止構造は、第１の円筒部を有しこの第１の円筒部の外周に第１の係合突起を有する第１の部品と、前記第１の円筒部の外径よりも大きい内径の第２の円筒部を有し前記第１の円筒部と前記第２の円筒部を相嵌合し回転することにより前記第１の係合突起が抜止め係止する第２の係合突起を内周に有する第２の部品と、前記第１の係合突起と前記第２の係合突起とを係止する方向に付勢するばねとを備え、
前記第１の係合突起はガイド斜面を斜面とした略三角形状部を有し、前記第２の係合突起は前記ガイド斜面に摺接するガイド斜面を斜面とした略三角形状部とこれに連続して前記第１の係合突起の前記略三角形状部が嵌合可能な略Ｖ字形の溝部を有し、
前記第１の円筒部と前記第２の円筒部とを相対的に回転する際に、前記ばねのばね力に抗して前記第１の係合突起の前記ガイド斜面と前記第２の係合突起の前記ガイド斜面とが摺動して前記第１の係合突起が前記第２の係合突起の溝部に嵌合するようにしたものである。
【００１０】
請求項１記載の部品の係止構造によれば、第１の円筒部と第２の円筒部を嵌合し回動することにより、第１の係合突起と第２の係合突起がばね力に抗してガイド斜面を摺動しこれを乗り越えて係止する。この場合、ガイド斜面の摺動が終えた位置で係止し、第１の部品と第２の部品の装着が完了するが、それまではガイド斜面で相互に接触しかつ互いに外れる方向にばね圧が掛かっているので、不完全な装着状態であり手を離してもすぐに第１の部品と第２の部品が外れ、仮掛りが生じることがなく、不完全な状態での嵌合が生じることがなく、器具などの落下の恐れがない。またガイド斜面に沿って第１の係合突起と第２の係合突起とが相対的に移動するにつれて、除々にばね力による荷重が加わるため、第２の部品を第１の部品に入れやすい。
【００１１】
請求項２記載の部品の係止構造は、請求項１において、前記第１の係合突起および前記第２の係合突起はそれぞれ一対有し、前記一対の第２の係合突起を回転角１８０度離し、前記一対の第１の係合突起を回転角１８０度より若干小さい角度離したものである。
請求項２記載の部品の係止構造によれば、請求項１の効果のほか、第１の係合突起に対する第２の係合突起の位置を相対的に若干ずらすこと、たとえば第１の係合突起を回転角１８０度から少しずらして開離し、第２の係合突起を回転角１８０度に開離することにより、万が一、一方の第１の係合突起と第２の係合突起の係合におけるガイド斜面の頂部で仮掛りが生じてしまっても、他方の第１の係合突起と第２の係合突起の係合におけるガイド斜面の頂部の位置がずれており、かつ外れ方向へのばね圧がかかっているので、不完全装着が生じにくくなる。
【００１２】
請求項３記載の部品の係止構造は、請求項１または請求項２において、前記第１の係合突起および前記第２の係合突起は係止状態で前記第１の円筒部と前記第２の円筒部の軸方向に相接触する平面部を有するものである。
請求項３記載の部品の係止構造によれば、請求項１または請求項２の効果のほか、第１の部品と第２の部品の装着後は平面部同志のみで係合することができるので、比較的強度の弱いガイド斜面の頂部を傷めるおそれがなく、また軸方向に向いた平面同志の係合になるので安定性がよく、第１の部品と第２の部品が傾かず見栄えがよいとともに、樹脂で部品を形成した場合でも単位面積当たりにかかる力を小さくできるので破損しにくく、またクリープ現象による変形も生じにくくなる。
【００１３】
【発明の実施の形態】
この発明の第１の実施の形態を図１ないし図１３により説明する。すなわち、この照明器具に適用した部品の係止構造は、第１の部品であるアダプタ１と、第２の部品であるホルダ２とを有する。
アダプタ１は、第１の円筒部６を有し、この第１の円筒部６の外周に第１の係合突起７を有する。実施の形態では、天井３等に施設された引掛シーリングボディ４に引っ掛ける引掛爪５を上端に有する引掛シーリング部４ａと、これより垂下する第１の円筒部６からなり、第１の円筒部６が負荷給電部を構成している。第１の円筒部６は白熱ランプソケットの筒状の受金部としてあり、図４に示すように雌ねじ部６ａに中心接触片１４と側面接触片１５を配設している。第１の係合突起７はガイド斜面７ａをその一側に形成して頂部に三角形状部７′を形成するとともに、ガイド斜面７ａよりも突出して軸方向に垂直な平面部７ｂを形成している。また、一対の引掛爪５は図４に示すように取付ねじ５１により取付けられ、その内端部分を中心接触片１４および側面接触片１５にかしめ接続している。９はロック爪１０を出没するロック解除ボタンであり、ロック解除ボタン９を押してロック爪１０を後退した状態で引掛シーリングボディ４に引掛爪５を引掛け、ロック解除ボンタ９を離すことにより、ばねでロック爪１０を突出させ引掛シーリングボディ４の凹部（図示せず）に係止して引掛シーリングボディ４の回転を規制し、これによりアダプタ１の不用意な外れを防止している。１１はフランジ仮保持用つばであり、図３に示すようにフランジ１２の仮保持用爪１３が引っ掛かることができる。１ａは引掛爪５を引掛シーリングボディ４に引掛けやすくするための引掛シーリングの合わせマーク、１６は第１の円筒部６に装着されたランプである。
【００１４】
ホルダ２は、第１の円筒部６の外径よりも大きい内径の第２の円筒部１７を有し、第１の円筒部６と第２の円筒部１７を相嵌合し回転することにより、第１の係合突起７が抜止め係止する第２の係合突起８を内周に有する。また第１の係合突起７と第２の係合突起８とを係止する方向に付勢するばね２０を有し、第１の円筒部６と第２の円筒部１７とを相対的に回転する際に、ばね２０のばね力に抗して第１の係合突起７のガイド斜面７ａと摺接して係止位置に案内するガイド斜面８ａを第２の係合突起８に形成しているが、ガイド斜面７ａ，８ａはいずれか一方のみでもよい。また第２の係合突起８は係止状態で第１の円筒部７の平面部７ｂと軸方向に相接触する平面部８ｂを有する。
【００１５】
実施の形態のホルダ２は、アダプタ１に外挿する筒状であって、第２の円筒部１７を内筒としてこれに連結された外筒１８を有し、第２の円筒部１７と外筒１８との間に軸方向に移動自在な器具本体支持用の移動部材１９を有し、ばね２０は移動部材１９を引掛シーリングボディ４側に付勢している。さらに具体的に説明すると、第２の円筒部１７は移動部材１９で器具を押し上げていない状態で移動部材１９よりも寸法ｅだけ第２の円筒部１７が高くなっている。また第２の円筒部１７と外筒１８は、引掛シーリングボディ４から離れた側につなぎ部２１により一体に形成され、つなぎ部２１に孤状の長孔２１ａを形成している。外筒１８は第２の円筒部１７よりも図８に示すように寸法ｆだけ低く、かつ外周面に操作用凹凸２２を設けている。第２の円筒部１７は外周面に移動部材１９をスライド自在に係止するための係止溝（図示せず）を設け、内周面にアダプタ２の第１の係合突起７と係合する第２の係合突起８を設けている。この第２の係合突起８は第１の係合突起７の突起の略三角形状部７′と係合し得る略Ｖ字形の溝部を有し、略三角形状部７′の１辺を形成するガイド斜面７ａをガイドするガイド斜面８ａを溝部の外側に形成し、このため溝部の縁部に略三角形状部８′を形成している。したがって、図２に示すように第１の係合突起７のガイド斜面７ａがガイド斜面８ａに当接した状態で移動部材１９を回動するにつれて第１の係合突起７がガイド斜面８ａをすべり上がり、ガイド斜面８ａを乗り越えたところで図１に示すように、第２の係合突起８の略Ｖ字形の溝部に係止し、不完全な取付状態では後述のばね２０の力によりホルダ２が外れる方向に移動するようにしている。さらに第１の係合突起７と第２の係合突起８との係止状態では、平面部７ｂ，８ｂ同志が係止し、第１の係合突起７の略三角形状部と第２の係合突起８の溝部とは若干離れている。
【００１６】
また第１の係合突起７をガイドしながら第２の円筒部７内に導入するための溝３５を第２の円筒部１７の内周面の軸方向の全長にわたって形成し、この溝３５の入口をとくに幅広くしてガイド性を良くし、また溝３５の数を４個とし第１の係合突起７の２個よりも多く形成している。なお、ホルダ２をアダプタ１に取付けるとき、第１の係合突起７と第２の係合突起８とが係止するための回動方向をアダプタ１を引掛シーリングボディ４に取付けるときの回動方向に合わせているので、ホルダ２を取付けたときにアダプタ１がゆるむことがない。
【００１７】
移動部材１９は、第２の円筒部１７と外筒１８との間に嵌合して軸方向のみが移動可能となるように構成されるもので、略円筒形をなし、グローブ４１等の器具を支持する器具支持部２４を図の上端の外周側に設け、第２の円筒部１７の外周面に摺接するとともにばね受けおよび第２の円筒部１７の抜止め部３０への係止を兼用した複数の突部１９ａを内周面に突出し、さらに第２の円筒部１７の端部より移動部材１９を外挿して係止溝にスライド自在に係止する弾性体（図示せず）を内周面に設け、この状態で突部１９ａが抜止め部３０に係止可能にしている。またこの突部１９ａの間のすき間と長孔２１ａとを通して第２の円筒部１７と移動部材１９の間をランプ熱が上昇でき、ホルダ２の温度上昇を抑えている。
【００１８】
移動部材１９の器具支持部２４は、移動部材１９の周方向に略等間隔に複数すなわち少なくとも３個に分断され、外筒１８の外径と略同じになるように突出している。また移動部材１９の器具支持部２４より下の高さを外筒１８の高さよりも低くしている。すなわち、図８に示すように外筒１８の高さｃとし、移動部材１９の器具支持部２４より下の高さｄとするとき、ｃ＞ｄとしている。
【００１９】
この移動部材１９は熱可塑性樹脂製の成形品で射出成形により製作され、かつ器具支持部２４の各々の略中央部に対応した移動部材１９の端面にゲートを設けている。３１は成形品上のゲート位置である。
ばね２０は、第２の円筒部１７と外筒１８との間に配置され、つなぎ部２１と移動部材１９との間で圧縮することにより移動部材１９を付勢している。実施例ではコイルばねを用いている。
【００２０】
またフランジ１２をアダプタ１に仮保持してから、グローブ４１とホルダ２を両手に持ち、ホルダ２の取付け作業を行なう。ホルダ２の取付け状態でフランジ１２がばね２０に付勢された移動部材１９の器具支持部２４により天井３に押付けられ、これによりフランジ１２およびグローブ４１が固定される。
このようにして、アダプタ１とホルダ２とにより構成される器具支持体により、フランジ１２とグローブ４１とを支持する白熱灯１灯用の器具が構成される。
【００２１】
なお、グローブ４１の内径は第２の円筒部１７の外径に近いので遊び量が規制されている。またフランジ１２はグローブ４１により位置規制されているので、グローブ４１が位置規制されるとフランジ１２も位置規制される。さらに器具支持部２４を外筒１８の外径程度まで突出させて位置規制も行なっているので、器具支持部２４の上にグローブ４１やフランジ１２の縁を載せることができ、確実に器具の保持ができる。
【００２２】
この実施の形態によれば、第１の円筒部６と第２の円筒部１７を嵌合し回動することにより、第１の係合突起７と第２の係合突起８がばね力に抗してガイド斜面７ａ，８ａを摺動しこれを乗り越えて係止する。この場合、ガイド斜面７ａ，８ａの摺動が終えた位置で係止し、第１の部品のアダプタ１と第２の部品のホルダ２の装着が完了するが、それまではガイド斜面７ａ，８ａで相互に接触しかつ互いに外れる方向にばね圧が掛かっているので、不完全な装着状態であり手を離してもすぐに第１の部品と第２の部品が外れ、仮掛りが生じることがなく、不完全な状態での嵌合が生じることがなく、器具などの落下の恐れがない。
【００２３】
またガイド斜面７ａ，８ａに沿って第１の係合突起７と第２の係合突起８とが相対的に移動するにつれて、除々にばね力による荷重が加わるため、第２の部品を第１の部品に入れやすい。すなわち、図１３（ａ）に示すように従来例では、装着スタートから装着完了まで最大荷重を維持したままでホルダ２を回動する必要があるのに対して、この実施の形態では図１３（ｂ）に示すようにガイド斜面７ａ，８ａが接触するところまでの荷重を加えたあとはホルダ２を回動するにつれて押上力が増していく。図の一点鎖線で示した部分だけ装着動作に必要なエネルギが少なくなる。このため、ホルダ２をアダプタ１に係止しやすいのである。
【００２４】
また第１の係合突起７および第２の係合突起８は係止状態で第１の円筒部６と第２の円筒部１７の軸方向に相接触する平面部７ｂ，８ｂを有するため、第１の部品と第２の部品の装着後は平面部７ｂ，８ｂ同志のみで係合することができるので、比較的強度の弱いガイド斜面７ｂの三角形状部７′，８′の頂部を傷めるおそれがなく、また軸方向に向いた平面同志の係合になるので安定性がよく、第１の部品と第２の部品が傾かず見栄えがよいとともに、樹脂で部品を形成した場合でも単位面積当たりにかかる力を小さくできるので破損しにくく、またクリープ現象による変形も生じにくくなる。
【００２５】
この発明の第２の実施の形態を図１４に示す。すなわち、この部品の係止構造は、第１の実施の形態において、第１の係合突起７および第２の係合突起８がそれぞれ一対有し、第１の係合突起７と第２の係合突起８の位置関係が周方向に若干ずれているものである。
図１４では、一対の第１の係合突起７を回転角１８０度から小さい角度αだけずらして開離し、一対の第２の係合突起８を回転角１８０度離している。
【００２６】
この実施の形態によれば、万が一、一方の第１の係合突起７と第２の係合突起８の係合におけるガイド斜面７ａ，８ａの略三角形状部７′，８′の頂部で仮掛りが生じてしまっても、他方の第１の係合突起７と第２の係合突起８の係合におけるガイド斜面７ａ，８ａの頂部の位置がずれており、かつ外れ方向へのばね圧がかかっているので、不完全装着が生じにくくなる。
【００２７】
この発明の第３の実施の形態を図１５に示す。すなわち、この部品の係止構造は、第１の実施の形態において、第１の係合突起７および第２の係合突起８をそれぞれ１個にしたものである。
この実施の形態は、第２の円筒部１７と第１の円筒部６との係合のバランスが悪く、ホルダ２が傾きはするものの、ガイド斜面７ａ，８ａの頂部同志が２箇所以上同時に仮掛りすることがなく、また仮掛り状態でのバランスもとれないので、第１の実施の形態に比べて仮掛りが生じにくい。
【００２８】
【発明の効果】
請求項１記載の部品の係止構造によれば、第１の円筒部と第２の円筒部を嵌合し回動することにより、第１の係合突起と第２の係合突起がばね力に抗してガイド斜面を摺動しこれを乗り越えて係止する。この場合、ガイド斜面の摺動が終えた位置で係止し、第１の部品と第２の部品の装着が完了するが、それまではガイド斜面で相互に接触しかつ互いに外れる方向にばね圧が掛かっているので、不完全な装着状態であり手を離してもすぐに第１の部品と第２の部品が外れ、仮掛りが生じることがなく、不完全な状態での嵌合が生じることがなく、器具などの落下の恐れがない。またガイド斜面に沿って第１の係合突起と第２の係合突起とが相対的に移動するにつれて、除々にばね力による荷重が加わるため、第２の部品を第１の部品に入れやすい。
【００２９】
請求項２記載の部品の係止構造によれば、請求項１の効果のほか、第１の係合突起に対する第２の係合突起の位置を相対的に若干ずらすこと、たとえば第１の係合突起を回転角１８０度から少しずらして開離し、第２の係合突起を回転角１８０度に開離することにより、万が一、一方の第１の係合突起と第２の係合突起の係合におけるガイド斜面の頂部で仮掛りが生じてしまっても、他方の第１の係合突起と第２の係合突起の係合におけるガイド斜面の頂部の位置がずれており、かつ外れ方向へのばね圧がかかっているので、不完全装着が生じにくくなる。
【００３０】
請求項３記載の部品の係止構造によれば、請求項１または請求項２の効果のほか、第１の部品と第２の部品の装着後は平面部同志のみで係合することができるので、比較的強度の弱いガイド斜面の頂部を傷めるおそれがなく、また軸方向に向いた平面同志の係合になるので安定性がよく、第１の部品と第２の部品が傾かず見栄えがよいとともに、樹脂で部品を形成した場合でも単位面積当たりにかかる力を小さくできるので破損しにくく、またクリープ現象による変形も生じにくくなる。
【図面の簡単な説明】
【図１】この発明の第１の実施の形態の係合を示す説明図である。
【図２】その係合前の状態の説明図である。
【図３】照明器具の正面図である。
【図４】そのアダプタの半断面側面図である。
【図５】その第１の円筒部の部分断面図である。
【図６】アダプタの底面図である。
【図７】ホルダの平面図である。
【図８】その半断面正面図である。
【図９】その外筒の外周面の凹凸を示す説明図である。
【図１０】ホルダをアダプタに接続する前の斜視図である。
【図１１】ホルダの下端側からみた斜視図である。
【図１２】第１の係合突起の斜視図である。
【図１３】回動量に対するホルダを押し上げる力の従来例と実施の形態のグラフである。
【図１４】第２の実施の形態のアダプタの底面図である。
【図１５】第３の実施の形態のアダプタの底面図である。
【図１６】第１の従来例の部分断面図である。
【図１７】そのアダプタにホルダを接続する前の斜視図である。
【図１８】第２の従来例のランプ口金とソケット受け金を示す部分斜視図である。
【図１９】従来例の係止溝の説明図である。
【符号の説明】
１    第１の部品であるアダプタ
２    第２の部品であるホルダ
６    第１の円筒部
７    第１の係合部
７ａ    ガイド斜面
７ｂ    平面部
８    第２の係合部
８ａ    ガイド斜面
８ｂ    平面部
１７    第２の円筒部
１８    外筒
１９    移動部材
２０    ばね
【図１】
0003712784.tif 000002
【図２】
0003712784.tif 000003
【図３】
0003712784.tif 000004
【図４】
0003712784.tif 000005
【図５】
0003712784.tif 000006
【図６】
0003712784.tif 000007
【図７】
0003712784.tif 000008
【図８】
0003712784.tif 000009
【図９】
0003712784.tif 000010
【図１０】
0003712784.tif 000011
【図１１】
0003712784.tif 000012
【図１２】
0003712784.tif 000013
【図１３】
0003712784.tif 000014
【図１４】
0003712784.tif 000015
【図１５】
0003712784.tif 000016
【図１６】
0003712784.tif 000017
【図１７】
0003712784.tif 000018
【図１８】
0003712784.tif 000019
【図１９】
0003712784.tif 000020